(57)【要約】【課題】電気室内に別置き型リフターなどの保管や移動のためのスペースを確保する必要がなく、箱体内に容易に引出式機器を搬出入することのできる配電盤を提供する。【解決手段】配電盤は箱体１内に複数個の引出式機器２を多段に収納して構成されている。この配電盤の箱体１の天井部１ｄに支持腕４を介して吊り上げ装置５を設ける。箱体１外に引出式機器２を搬出する際には、箱体１の外側にレール３を引き出し、レール３上に引出式機器２を引き出し、吊り上げ装置５のフック５ａおよび引出式機器２にロープ６掛けして引出式機器２を床面７に吊り下げて行う。【選択図】図２
2007312452.tif 000002
【特許請求の範囲】
【請求項１】
箱体内に複数個の引出式機器を多段に収納した配電盤において、前記引出式機器を前記箱体内に搬出入する吊り上げ装置を前記箱体の天井部に設けたことを特徴とする配電盤。
【請求項２】
前記吊り上げ装置を前記箱体の水平方向に回動可能に構成したことを特徴とする請求項１に記載の配電盤。
【請求項３】
前記吊り上げ装置を前記箱体の横方向に移動可能に構成したことを特徴とする請求項１に記載の配電盤。
【発明の詳細な説明】
【技術分野】
【０００１】
本発明は、箱体内に複数個の引出式機器を段積みして収納した配電盤に関するものである。
【背景技術】
【０００２】
配電盤には、箱体内に複数個の遮断器などの引出式機器を上下方向に段積みして収納した構成のものがある。この種の配電盤においては、箱体内の引出型機器を保守点検する際に、引出式機器を箱体内から搬出したり、搬入したりする作業が必要であり、特に上部に収納された引出式機器においては、箱体の仕切板にスライド可能に設けられたレールを引き出し、このレール上を移動させて遮断器を搬出したり、搬入したりする作業を行なっている。また引出式機器をレール上に積み上げたり、レール上から積み下ろしたりする作業を行なう場合には、例えば特許文献１に記載されているような別置き型のリフターを使用することが多い。  
【特許文献１】特開平８−１６３７２２号公報
【発明の開示】
【発明が解決しようとする課題】
【０００３】
ところで、別置き型リフターは、常時使用するものではないが、配電盤における定期の保守点検作業や緊急時の点検作業に使用するために配電盤の近くに保管しておく必要がある。保管にあたっては、別置き型リフターを電気室内のスペースを利用して保管するのが一般的であるが、この電気室内が狭い場合があり、保管スペースを確保することが困難となる場合が少なくない。また別置き型リフターを移動したり、操作したりするためのスペースも必要であり、このようなスペースも電気室内に確保することが難しい場合がある。
【０００４】
そこで本発明は、上記の問題を解決するためになされたもので、その目的とするところは、電気室内に別置き型リフターなどの保管や移動のためのスペースを確保する必要がなく、箱体内に容易に引出式機器を搬出入することのできる配電盤を提供することにある。
【課題を解決するための手段】
【０００５】
上記目的を達成するため、本発明による配電盤においては、箱体内に複数個の引出式機器を多段に収納した配電盤において、引出式機器を箱体内に搬出入する吊り上げ装置を箱体の天井部に設けたことを特徴とする。
【発明の効果】
【０００６】
本発明の配電盤によれば、箱体の内外に引出式機器を搬出、搬入する作業を、箱体の天井部に設けた吊り上げ装置を使用して行うことができ、しかも吊り上げ装置は、箱体の天井部に常時設けられているので、吊り上げ装置を保管するスペースや移動させるスペースを確保する必要がなくなる。
【発明を実施するための最良の形態】
【０００７】
以下、本発明の実施の形態を説明する。図１は本発明の第１実施の形態にかかる配電盤を示す斜視図である。図２は図１に示す状態から引出式機器を搬出する状態を示す斜視図である。図１において、箱体１は、観音開き式の扉１ａおよび１ｂを有し、内部が上下２段に区分けされてそれぞれ車輪２ａを有する遮断器などの引出式機器２が収納されている。上段の引出式機器２は、箱体１の仕切板１ｃ上に載置されている。仕切板１ｃの内部には、レール３が箱体１の仕切板１ｃ内を前後方向に沿って移動自在に設けられており、引き出すと箱体１の前面に突出し、その状態で重量物を支持できるようになっている。なお、このレール３は、複数個の部材の断面寸法を変えて重なるように配置することにより、前後方向に沿って伸縮自在に構成することもでき、またレールを仕切板上に車輪を介して配置し、このレール上に引出式機器を載置して前後方向に移動自在な引出式台車として構成することもできる。
【０００８】
箱体１の天井部１ｄには、Ｈ型鋼、コ字型鋼、Ｉ型鋼などからなる支持腕４を介してチェーンブロック、クレーン等からなる吊り上げ装置５が設けられている。支持腕４は、一方の端部が箱体１の天井部１ｄの中央部に軸４ａを介して連結されており、軸４ａを中心にして水平方向に沿って回動可能に設けられている。支持腕４の他端部は、箱体１の前面の外側に位置し、その先端部に吊り上げ装置５が設けられており、この吊り上げ装置５により引出式機器２の吊り上げ、吊り下ろしを伴う搬出入作業を行うことができるようになっている。
【０００９】
すなわち、図１に示す引出式機器２を箱体１外に搬出する場合には、図２に示すように扉１ａを開き、レール３を箱体１の前方に引き出し、さらに引出式機器２をレール３上に引き出し、次いで引出式機器２および吊り上げ装置５のフック５ａにロープ６を掛けた後、吊り上げ装置５を操作して引出式機器２を一旦吊り上げる。次ぎにレール３を押し込んで箱体１内に収納した後、吊り上げ装置５を操作して引出式機器２を床面７に吊り下ろす。引出式機器２を箱体１内に収納する場合は、上記と逆の手順で行うことができる。
【００１０】
支持腕４は、軸４ａを介して水平方向に回動可能に設けられているので、箱体１内の左右いずれに引出式機器２が収納されていても、その引出式機器２の上方に吊り上げ装置５を移動させて配置することができる。また吊り上げ装置５を使用しない場合には、点線で示すように、左右いずれかの端の位置に配置しておくことにより、保守点検作業時に支障を生じないようにすることができる。
【００１１】
このように引出式機器２を箱体１内外に搬出入する際に、箱体１の天井部１ｄに設けた吊り上げ装置５を使用して作業を行うことができる。そしてこの場合、吊り上げ装置５は、箱体１の天井部１ｄに常時設けられているので、狭い電気室内に吊り上げ装置５を保管するスペースや移動させるスペースを確保する必要がなく、しかも床面７に段差があるような場合であっても、別置き型リフターのように移動させる際に支障が生じることもない。
【００１２】
図３は本発明の第２実施の形態にかかる配電盤を示す斜視図である。本実施の形態が第１実施の形態と異なる点は、箱体１の天井部１ｄに横方向に延びるレール８を設け、このレール８に支持腕４の一端部をレール８の長手方向に沿って摺動自在に連結することにより、支持腕４を介して吊り上げ装置５が横方向に移動可能となるように構成したところにある。
【００１３】
本実施の形態においても、吊り上げ装置５は、箱体１の天井部１ｄに常時設けられているので、吊り上げ装置５を保管するスペース等を確保する必要がなくなり、しかも支持腕４を横方向に移動させて引出式機器２を吊り上げるに最適な位置に移動させることができる。また吊り上げ装置５の不使用時には、左右いずれかの端の位置に移動させておくことにより、保守点検作業時に支障を生じることもない。
【図面の簡単な説明】
【００１４】
【図１】本発明の第１実施の形態にかかる配電盤を示す斜視図である。
【図２】図１に示す状態から引出式機器を搬出する状態を示す斜視図である。
【図３】本発明の第２実施の形態にかかる配電盤を示す斜視図である。
【符号の説明】
【００１５】
１…箱体
１ａ，１ｂ…扉
１ｃ…仕切板
１ｄ…天井部
２…引出式機器
３…レール
４…支持腕
４ａ…軸
５…吊り上げ装置
５ａ…フック
６…ロープ
７…床面
【図１】
2007312452.tif 000003
【図２】
2007312452.tif 000004
【図３】
2007312452.tif 000005